(57)【要約】【課題】  ユーザがプリンタ等で印刷された用紙の白黒比の算出結果を認識することができるデータ処理装置等を提供する。【解決手段】  出力対象データが用紙に出力されたときの白黒比を、出力対象データに基づいて算出する白黒比算出手段と、前記白黒比算出手段による算出結果に応じた識別情報を、前記出力対象データに合成する識別情報合成手段と、を備えている。ユーザは、出力対象データとともに出力された識別情報により、用紙の白黒比の算出結果を認識することができる。【選択図】  図１
2005202776.tif 000002
【特許請求の範囲】
【請求項１】
出力対象データが用紙に出力されたときの白黒比を、出力対象データに基づいて算出する白黒比算出手段と、
前記白黒比算出手段による算出結果に応じた識別情報を、前記出力対象データに合成する識別情報合成手段と、
を備えたことを特徴とするデータ処理装置。
【請求項２】
前記白黒比算出手段による白黒比算出処理及び前記識別情報合成手段による識別情報合成処理を行うモードと、行わないモードとを選択可能な選択手段が設けられている請求項１に記載のデータ処理装置。
【請求項３】
前記識別情報は、出力対象データの色とは濃度の異なるマークである請求項１に記載のデータ処理装置。
【請求項４】
出力対象データが用紙に出力されたときの白黒比を、出力対象データに基づいて算出する白黒比算出手段と、
前記白黒比算出手段による算出結果に応じた識別情報を、前記出力対象データとともに外部に送信する送信手段と、
を備えたことを特徴とするデータ処理装置。
【請求項５】
出力対象データを受信する受信手段と、
前記受信手段により受信した出力対象データが用紙に出力されたときの白黒比を、出力対象データに基づいて算出する白黒比算出手段と、
前記白黒比算出手段による算出結果に応じた識別情報を可視化するための可視化手段と、
を備えたことを特徴とするデータ処理装置。
【請求項６】
前記可視化手段は前記識別情報を前記出力対象データに合成する請求項５に記載のデータ処理装置。
【請求項７】
前記可視化手段は前記識別情報を表示手段に表示させる請求項５に記載のデータ処理装置。
【請求項８】
前記白黒比算出手段によって算出された白黒比が、所定のしきい値を越えるかどうかを判別する判別手段と、
前記判別手段によりしきい値を越えると判別された場合には、白黒比がしきい値以下となるように出力対象データを補正制御する白黒比補正手段と、
を備えている請求項１〜７のいずれかに記載のデータ処理装置。
【請求項９】
請求項５〜８のいずれか１項に記載のデータ処理装置を備えたプリンタコントローラ。
【請求項１０】
出力対象データが用紙に出力されたときの白黒比を、出力対象データに基づいて算出する白黒比算出ステップと、
前記白黒比算出ステップによる算出結果に応じた識別情報を、前記出力対象データに合成する識別情報合成ステップと、
をコンピュータに実行させるデータ処理プログラム。
【請求項１１】
出力対象データが用紙に出力されたときの白黒比を、出力対象データに基づいて算出する白黒比算出ステップと、
前記白黒比算出ステップによる算出結果に応じた識別情報を、前記出力対象データとともに外部に送信する送信ステップと、
をコンピュータに実行させるデータ処理プログラム。
【請求項１２】
出力対象データを受信する受信ステップと、
前記受信ステップにより受信した出力対象データが用紙に出力されたときの白黒比を、出力対象データに基づいて算出する白黒比算出ステップと、
前記白黒比算出ステップによる算出結果に応じた識別情報を可視化するための可視化ステップと、
をコンピュータに実行させるデータ処理プログラム。
【発明の詳細な説明】
【技術分野】
【０００１】
この発明は、出力対象データから白黒比を算出可能なデータ処理装置及びプリンタコントローラ、ならびにデータ処理プログラムに関する。
【背景技術】
【０００２】
昨今の環境問題の観点から、プリンタ等により画像データが印字された用紙を廃棄する場合、たとえ白黒印刷であっても、白黒比が所定の比率例えばデータ部分（トナー付着部分）が全体の１５％を超えるような場合はカラー用紙とみなして廃棄しなければならない、というような制約が課される場合がある。
【０００３】
しかしながら、このような場合において、ユーザは、出力された用紙の白黒比が所定の比率を超えたカラー用紙か否か等を正しく判別することは困難である。
【０００４】
なお、特許文献１には、受信した原稿の白黒比を算出する技術が開示されている。
【特許文献１】特開平６−３２６８１５号
【発明の開示】
【発明が解決しようとする課題】
【０００５】
上記特許文献１に記載された技術では、白黒比を算出することはできるものの、ユーザはプリンタ等から出力された用紙の白黒比の算出結果を認識することができなかった。
【０００６】
このため、カラー用紙として廃棄すべき場合であっても白色紙として廃棄したり、逆に白色紙として廃棄すべきであるにもかかわらずカラー用紙として廃棄される事態が生じており、対策が望まれている。
【０００７】
この発明は、このような技術的背景に鑑みてなされたものであって、ユーザがプリンタ等で印刷された用紙の白黒比の算出結果を認識することができるデータ処理装置、及びプリンタコントローラを提供することを目的とする。
【課題を解決するための手段】
【０００８】
上記目的を達成するために、この発明は以下の手段を提供する。
（１）出力対象データが用紙に出力されたときの白黒比を、出力対象データに基づいて算出する白黒比算出手段と、前記白黒比算出手段による算出結果に応じた識別情報を、前記出力対象データに合成する識別情報合成手段と、を備えたことを特徴とするデータ処理装置。
（２）前記白黒比算出手段による白黒比算出処理及び前記識別情報合成手段による識別情報合成処理を行うモードと、行わないモードとを選択可能な選択手段が設けられている前項１に記載のデータ処理装置。
（３）前記識別情報は、出力対象データの色とは濃度の異なるマークである前項１に記載のデータ処理装置。
（４）出力対象データが用紙に出力されたときの白黒比を、出力対象データに基づいて算出する白黒比算出手段と、前記白黒比算出手段による算出結果に応じた識別情報を、前記出力対象データとともに外部に送信する送信手段と、を備えたことを特徴とするデータ処理装置。
（５）出力対象データを受信する受信手段と、前記受信手段により受信した出力対象データが用紙に出力されたときの白黒比を、出力対象データに基づいて算出する白黒比算出手段と、前記白黒比算出手段による算出結果に応じた識別情報を可視化するための可視化手段と、を備えたことを特徴とするデータ処理装置。
（６）前記可視化手段は前記識別情報を前記出力対象データに合成する前項５に記載のデータ処理装置。
（７）前記可視化手段は前記識別情報を表示手段に表示させる前項５に記載のデータ処理装置。
（８）前記白黒比算出手段によって算出された白黒比が、所定のしきい値を越えるかどうかを判別する判別手段と、前記判別手段によりしきい値を越えると判別された場合には、白黒比がしきい値以下となるように出力対象データを補正制御する白黒比補正手段と、を備えている前項１〜７のいずれかに記載のデータ処理装置。
（９）前項５〜８のいずれか１項に記載のデータ処理装置を備えたプリンタコントローラ。
（１０）出力対象データが用紙に出力されたときの白黒比を、出力対象データに基づいて算出する白黒比算出ステップと、前記白黒比算出ステップによる算出結果に応じた識別情報を、前記出力対象データに合成する識別情報合成ステップと、をコンピュータに実行させるデータ処理プログラム。
（１１）出力対象データが用紙に出力されたときの白黒比を、出力対象データに基づいて算出する白黒比算出ステップと、前記白黒比算出ステップによる算出結果に応じた識別情報を、前記出力対象データとともに外部に送信する送信ステップと、をコンピュータに実行させるデータ処理プログラム。
（１２）出力対象データを受信する受信ステップと、前記受信ステップにより受信した出力対象データが用紙に出力されたときの白黒比を、出力対象データに基づいて算出する白黒比算出ステップと、前記白黒比算出ステップによる算出結果に応じた識別情報を可視化するための可視化ステップと、をコンピュータに実行させるデータ処理プログラム。
【発明の効果】
【０００９】
前項（１）に記載された発明によれば、白黒比算出手段による算出結果に応じた識別情報が出力対象データに合成されるから、出力対象データが例えばプリンタ等により出力されると、この識別情報も出力される。従って、ユーザはこの識別情報により、用紙の白黒比の算出結果を認識することができる。その結果、印刷された用紙を廃棄する場合等に、カラー用紙か否かでユーザが迷うことがなくなり、実用価値の高いデータ処理装置となし得る。
【００１０】
前項（２）に記載された発明によれば、白黒比算出処理及び識別情報合成処理を行うモードと行わないモードとを、選択手段によってユーザが選択できるから、使い勝手が良くなる。
【００１１】
前項（３）に記載された発明によれば、識別情報が出力対象データの色とは濃度の異なるマークであるから、ユーザは識別情報を認識しやすくなる。
【００１２】
前項（４）に記載された発明によれば、白黒比算出手段による算出結果に応じた識別情報が前記出力対象データとともに外部に送信されるから、出力対象データを出力する例えばプリンタ等の外部装置では、送信されてきた識別情報を例えば表示部に表示させることができ、ユーザに白黒比の算出結果を認識させることができる。
【００１３】
前項（５）に記載された発明によれば、白黒比算出手段による白黒比算出結果に応じた識別情報が可視化手段によって可視化されるから、ユーザはこの可視化された識別情報によって、用紙の白黒比の算出結果を認識することができる。
【００１４】
前項（６）に記載された発明によれば、可視化手段は前記識別情報を前記出力対象データに合成するから、出力対象データがプリンタ等により出力されると、この識別情報も出力される。従って、ユーザはこの識別情報により、用紙の白黒比の算出結果を認識することができる。
【００１５】
前項（７）に記載された発明によれば、可視化手段は識別情報を表示手段に表示させるから、この表示によりユーザは白黒比の算出結果を認識させることができる。
【００１６】
前項（８）に記載された発明によれば、算出された白黒比が所定のしきい値を越える場合には、白黒比がしきい値以下となるように出力対象データが補正制御されるから、ユーザは白黒比がしきい値を超えているか否かを判断する必要をなくすことができる。
【００１７】
前項（９）に記載された発明によれば、プリントコントローラを本発明に係るデータ処理装置として機能させることができる。
【００１８】
前項（１０）に記載された発明によれば、白黒比算出ステップによる算出結果に応じた識別情報を出力対象データに合成する処理をコンピュータに実行させることができる。
【００１９】
前項（１１）に記載された発明によれば、白黒比算出ステップによる算出結果に応じた識別情報を前記出力対象データとともに外部に送信する処理をコンピュータに実行させることができる。
【００２０】
前項（１２）に記載された発明によれば、白黒比算出ステップによる白黒比算出結果に応じた識別情報を可視化させるための処理をコンピュータに実行させることができる。
【発明を実施するための最良の形態】
【００２１】
次に、この発明の一実施形態を図面を参照しつつ説明する。
【００２２】
図１は、この発明の一実施形態に係るデータ処理装置を用いたプリントシステムの概略構成を示すブロック図である。
【００２３】
このプリントシステムにおいて、１はパーソナルコンピュータ（ＰＣ）等からなるデータ処理装置、２はＭＦＰ（Multi Function Peripherals）等からなるプリンタであり、これらのデータ処理装置１とプリンタ２とがネットワーク３を介して接続されている。
【００２４】
前記データ処理装置１は、ＣＰＵ１１、ＲＯＭ１２、ＲＡＭ１３、記憶装置１４、表示装置１５、操作部１６及びネットワークインターフェイス部（図１ではネットワークＩ／Ｆ部と記す）１７を備えている。
【００２５】
前記ＣＰＵ１１は、データ処理装置１の全体を制御する制御手段として機能し、前記ＲＯＭ１２は各種のパラメータや後述する白黒比判別マーク用データ等を記憶するものであり、ＲＡＭ１３はＣＰＵ１１の作業領域として機能する。
【００２６】
前記記憶装置１４は、例えばハードディスク（ＨＤＤ）等から構成され、ユーザが作成した文書などの各種データの他、ＣＰＵ１１が実行する各種のソフトウェアないしプログラムが記憶されている。
【００２７】
この実施形態では、記憶装置１４に記憶されているソフトウェアないしプログラムとしては、プリンタドライバ１４１、白黒比算出・判別プログラム１４２、ジョブ付加処理プログラム１４３、濃度補正プログラム１４４、通常処理プログラム１４５がある。
【００２８】
前記プリンタドライバ１４１は、プリンタ制御用ソフトウェアであり、後述するように、このプリンタドライバのユーザインターフェイスを表示装置１５に表示することにより、ユーザは各種の設定が可能となっている。
【００２９】
前記白黒比算出・判別プログラム１４２は、プリンタ２に送信されるプリントデータに基づいて、出力後の用紙における白黒比を算出するとともに、算出した白黒比が所定のしきい値を上回っているか否か、即ちデータ部分（トナー付着部分）の比率が用紙全体の例えば１５％を上回っているか否か、を判断するためのプログラムである。なお、白黒比の算出方法は既に公知であるので具体的な説明は省略する。
【００３０】
前記ジョブ付加処理プログラム１４３は、白黒比算出・判別プログラム１４２の実行により算出された白黒比が所定のしきい値を上回っていると判別された場合に、これを示す識別情報としてのマーク（以下、白黒比判別マークという）を用紙に印刷するために、マーク印刷ジョブをプリントジョブに付加するものである。具体的には、プリントデータに白黒比判別マーク用データが合成される。この場合、用紙に印刷される白黒比判別マークはプリントデータの色よりも濃度が薄く設定されている。
【００３１】
さらに、ジョブ付加処理プログラム１４３は、白黒比算出・判別プログラム１４２の実行により算出された白黒比を、プリンタ２の操作パネル部２１に設けられた表示部２２に表示させるために、マーク表示ジョブをプリントジョブに付加する処理をも行わせる。
【００３２】
この実施形態では、前記白黒比判別マークを用紙へ印刷するか否か、プリンタ２の操作パネル部２１の表示部２２へ表示するか否かは、ユーザが設定できるようになっている。この点については後述する。
【００３３】
前記濃度補正プログラム１４４は、白黒比算出・判別プログラム１４２の実行により算出された白黒比が、所定のしきい値を上回っていると判別された場合に、白黒比がしきい値以下となるようにプリントデータを補正するためのものである。例えば、片面白黒比のしきい値が１５％に設定されていて、実際の片面白黒比が１６％あるいは１７％であった場合、片面白黒比が１５％以下となるようにデータを補正する。具体的には、文字等のデータ部分（トナー付着部分）の線を細くしたり大きさを小さくすること等により行われる。この濃度補正プログラム１４４を実行するか否かもまた、ユーザによって選択が可能である。
【００３４】
前記通常処理プログラム１４５は、プリンタ２へのプリントジョブの送信処理等のように、データ処理装置１で作成したプリントデータをプリンタ２で印刷する場合に通常行われる処理を実行するためのプログラムである。
【００３５】
前記表示装置１５は、液晶やＣＲＴ等からなり、作成したプリントデータ等を表示するほか、プリンタドライバ１４１のユーザインターフェイスを表示し、このユーザインターフェイスに基づいて、ユーザは各種のモード設定を行うことができる。
【００３６】
前記操作部１６はキーボードやマウス等を備えている。
【００３７】
前記ネットワークインターフェイス部１７は、プリントジョブを送信したり他のデータを送信しあるいは受信するための入出力手段として機能する。
【００３８】
図２は、表示装置１５に表示されたプリンタドライバ１４１のユーザインターフェイス１４１ａを示すものである。
【００３９】
図２のユーザインターフェイス１４１ａにおいて、「Ｎｕｍ  Ｍｏｎｏｃｒｏｍｅ」は、白黒比算出・判別プログラム１４２による白黒比算出・判別処理及び印刷用紙への白黒比判別マークの印刷処理を行うか否かの選択項目であり、ユーザが「ＯＮ」を選択すると、通常のプリントジョブの処理に加えてこれらの処理が実行され、白黒比がしきい値を超えている場合には図３（ａ）に示すように、プリンタ２側で用紙４０にプリントデータとともに白黒比判別マーク４１が印刷される。一方、ユーザが「ＯＦＦ」を選択すると、通常のプリントジョブの処理のみが実行され、白黒比がたとえしきい値を超えていても、図３（ｂ）に示すように白黒比判別マークは印刷されることなく、プリントデータのみが用紙４０に印刷される。
【００４０】
図２のユーザインターフェイス１４１ａにおいて、「Ｓｈｏｗ  ＯｐｅｒａｔｉｏｎＰａｎｅｌ」は、プリンタ２で印刷中の用紙について、白黒比算出結果をプリンタ２の操作パネル部２１における表示部２２に表示させるか否かの選択項目であり、「Ｎｕｍ  Ｍｏｎｏｃｒｏｍｅ」を「ＯＮ」にした状態で、ユーザが「Ｓｈｏｗ  ＯｐｅｒａｔｉｏｎＰａｎｅｌ」について「ＯＮ」を選択すると、白黒比判別マーク４１の用紙４０への印刷処理とともに、図４に示すように、印刷中の用紙についての白黒比算出結果（この実施形態では白黒比の値）がプリンタ２の表示部２２に表示され、「ＯＦＦ」を選択すると表示部２２には表示されない。
【００４１】
また、「Ｎｕｍ  Ｍｏｎｏｃｒｏｍｅ」を「ＯＮ」にした状態で、ユーザが「Ｓｈｏｗ  ＯｐｅｒａｔｉｏｎＰａｎｅｌ」について「Ｏｎｌｙ  ＯｐｅＰａｎｅｌ」を選択すると、白黒比がしきい値を超えていても白黒比判別マーク４１の用紙４０への印刷処理は行われず、白黒比算出結果が表示部２２にのみ表示される。
【００４２】
図５は、表示装置１５に表示されたプリンタドライバ１４１の別のユーザインターフェイス１４１ｂを示すものである。
【００４３】
このユーザインターフェイス１４１ｂは、前述した濃度補正プログラム１４４を実行するか否かをユーザに選択させるためのものである。具体的には、「自動濃度補正」について「ＯＮ」を選択した場合には、濃度補正プログラム１４４が実行され、白黒比が所定のしきい値を上回っていると判別されると、しきい値以下となるようにプリントデータが補正される。一方、「ＯＦＦ」が選択された場合には、濃度補正プログラム１４４は実行されず、白黒比が所定のしきい値を上回っていてもそのままの白黒比で印刷されることになる。
【００４４】
なお、白黒比のしきい値は予め設定値として組み込まれていても良いし、ユーザが用途に応じてプリンタドライバ１４１のユーザインターフェイス上等で任意に設定できるものとしても良い。
【００４５】
前記プリンタ２は、データ処理装置１から送信されてきたプリントジョブを受信してプリントデータを用紙４０に印刷するものであり、プリンタ２を操作するための操作パネル部２１を備え、さらにこの操作パネル部２１には液晶等からなる表示部２２が備えられている。
【００４６】
次に、図１に示したプリントシステムに用いられているデータ処理装置１の動作を、図６のフローチャートを参照して説明する。なお、以下の説明及び図６では、ステップを「Ｓ」と略記する。
【００４７】
まず、ユーザは、データ処理装置１によりプリントデータを作成すると共に、表示装置１５に表示された図２のユーザインターフェイス１４１ａにより、白黒比算出・判別処理及び白黒比判別マーク付加処理を実行するか否かを選択し、また図５のユーザインターフェイス１４１ｂにより、白黒比の濃度補正処理を実行するか否かを選択する。
【００４８】
図６のＳ１０１において、データ処理装置１のＣＰＵ１１は、図２のユーザインターフェイス１４１ａにおける「Ｎｕｍ  Ｍｏｎｏｃｒｏｍｅ」について「ＯＮ」が選択されているか否か、換言すれば白黒比算出・判別処理を実行するか否かを判断する。「ＯＮ」が選択されていれば（Ｓ１０１の判断がＹＥＳ）、Ｓ１０２に進む。「ＯＮ」が選択されていなければ即ち「ＯＦＦ」が選択されていれば（Ｓ１０１の判断がＮＯ）、Ｓ１０８に進む。
【００４９】
Ｓ１０２では、ＣＰＵ１１が白黒比算出・判別プログラム１４２を実行することにより、白黒比を算出しかつ算出した白黒比がしきい値を上回っているか否かを判別する。
【００５０】
次に、Ｓ１０３に進み、ＣＰＵ１１は、図５のユーザインターフェイス１４１ｂにおける「自動濃度補正」について「ＯＮ」が選択されているか否か、換言すれば白黒比の補正処理を実行するか否かを判断する。「ＯＮ」が選択されていれば（Ｓ１０３の判断がＹＥＳ）、Ｓ１０４に進んで濃度補正プログラム１４４を実行することにより、白黒比がしきい値を超えている場合には白黒比がしきい値以下となるようにデータを補正した後、Ｓ１０５に進む。一方、「ＯＮ」が選択されていなければ即ち「ＯＦＦ」が選択されていれば（Ｓ１０３の判断がＮＯ）、濃度補正を行うことなくそのままＳ１０５に進む。
【００５１】
Ｓ１０５で、ＣＰＵ１１は図２のユーザインターフェイス１４１ａにおける「Ｓｈｏｗ  ＯｐｅｒａｔｉｏｎＰａｎｅｌ」について「ＯＮ」が選択されているか否か、換言すれば、白黒比算出結果をプリンタ２の操作パネル部２１における表示部２２に表示させるか否かを判断する。
【００５２】
「ＯＮ」が選択されていれば（Ｓ１０５の判断がＹＥＳ）、Ｓ１０６に進み、ＣＰＵ１１はジョブ付加処理プログラム１４３を実行することにより、白黒比がしきい値を上回っていれば、白黒比判別マーク用データをプリントデータに合成することにより、白黒比判別マーク印刷ジョブをプリントジョブに付加する。かつ、算出した白黒比をプリンタ２の表示部２２に表示させるための表示ジョブをＰＪＬ（Printer Job Language）やＰＤＬ（Page Discription Language）を用いてプリントジョブに書き加える。
【００５３】
そして、Ｓ１１０に進み、通常処理プログラム１４５を実行して、ジョブをネットワーク３を介してプリンタに送信し、データ処理装置１の処理を終了する。
【００５４】
ジョブを送信されたプリンタ２では、送信されてきたプリントデータを印刷する。白黒比判別マーク用データが付加されている場合には、図３（ａ）に示すようにこの白黒比判別マーク４１が用紙４０に同時に印刷される。従って、ユーザは印刷された用紙４０の白黒比が所定のしきい値を超えているのかどうかを一見して認識することができる。また、印刷と同時に、プリンタ２の表示部２２には図４に示すように、その用紙の白黒比が表示される。この表示によっても、ユーザは印刷された用紙の白黒比が所定のしきい値を超えているのかどうかを認識することができる。
【００５５】
一方、Ｓ１０５において、図２の「Ｓｈｏｗ  ＯｐｅｒａｔｉｏｎＰａｎｅｌ」について「ＯＮ」が選択されていなければ（Ｓ１０５の判断がＮＯ）、Ｓ１０７に進み、ＣＰＵ１１は「ＯＦＦ」が選択されているか否かを判断する。「ＯＦＦ」が選択されていれば（Ｓ１０７の判断がＹＥＳ）、Ｓ１０８に進み、ＣＰＵ１１はジョブ付加処理プログラム１４３を実行することにより、白黒比がしきい値を上回っていれば、白黒比判別マーク用データをプリントデータに合成することにより、白黒比判別マーク印刷ジョブをプリントジョブに付加する。
【００５６】
そして、Ｓ１１０に進み、通常処理プログラム１４５を実行して、ジョブをネットワーク３を介してプリンタに送信し、データ処理装置の処理を終了する。
【００５７】
ジョブを送信されたプリンタ２では、送信されてきたプリントデータを印刷する。白黒比判別マーク用データが付加されている場合には、図３（ａ）に示すようにこのマーク４１も同時に印刷される。従って、ユーザは印刷された用紙４０の白黒比が所定のしきい値を超えているのかどうかを一見して認識することができる。ただし、表示部２２における白黒比の表示はなされない。
【００５８】
また、Ｓ１０７において、図２の「Ｓｈｏｗ  ＯｐｅｒａｔｉｏｎＰａｎｅｌ」について「ＯＦＦ」が選択されていなければ（Ｓ１０７の判断がＮＯ）、「Ｏｎｌｙ  ＯｐｅＰａｎｅｌ」が選択されていることになるので、Ｓ１０９に進み、ＣＰＵ１１はジョブ付加処理プログラム１４３を実行することにより、算出した白黒比をプリンタ２の表示部２２に表示させるための白黒比表示ジョブをプリントジョブに付加する。
【００５９】
そして、Ｓ１１０に進み、通常処理プログラム１４５を実行して、ジョブをネットワーク３を介してプリンタ２に送信し、データ処理装置１の処理を終了する。
【００６０】
ジョブを送信されたプリンタ２では、送信されてきたプリントデータを印刷する。この場合、白黒比判別マーク４１は印刷されないが、表示部２２には図４に示すように白黒比が表示される。この表示によって、ユーザは印刷された用紙４０の白黒比が所定のしきい値を超えているのかどうかを認識することができる。
【００６１】
図７は、この発明の他の実施形態を示すものである。この実施形態では、パーソナルコンピュータ５とＭＦＰ等からなるプリンタ２とがネットワーク３を介して接続されている点では、図１に示した実施形態と同様であるが、図７に示す実施形態では、プリンタ２のプリンタコントローラ６に、データ処理装置が搭載されている。
【００６２】
即ち、プリンタ２は、プリンタコントローラ６と操作パネル部２１とを備えている。
【００６３】
前記プリンタコントローラ６は、ネットワークインターフェイス部（図７ではネットワークＩ／Ｆ部と記す）６１、ＣＰＵ６２、ＲＯＭ６３、ＲＡＭ６４、記憶装置６５を備えている。
【００６４】
前記ネットワークインターフェイス部６１は、パーソナルコンピュータ５から送信されてくるプリントジョブを受信したり、他のデータを送信しあるいは受信する送受信手段として機能する。
【００６５】
前記ＣＰＵ６２はプリントコントローラ６の全体を制御する制御手段として機能し、前記ＲＯＭ６３は各種のパラメータや白黒比判別マーク用データ等を記憶するものであり、ＲＡＭ６４はＣＰＵ６２の作業領域として機能する。
【００６６】
前記記憶装置６５は、例えばハードディスク（ＨＤＤ）等から構成され、ユーザが作成した文書などの各種データの他、ＣＰＵ６２が実行する各種のプログラムが記憶されている。
【００６７】
この実施形態では、記憶装置６５に記憶されているプログラムとしては、白黒比算出・判別プログラム６５１、ジョブ付加処理プログラム６５２、濃度補正プログラム６５３、通常処理プログラム６５４がある。
【００６８】
なお、これらプログラムの内容については、白黒比の算出・判別を、パーソナルコンピュータ５から送信されプリントコントローラ６で受信したプリントデータから作成された作像データに基づいて行う点等を除き、図１の実施形態について説明した各プログラムとほぼ同じであるので、詳細な説明は省略する。
【００６９】
前記操作パネル部２１は、ユーザがプリンタ６を操作するためのものであり、表示部２２はプリンタ２の動作状態等を表示するとともに、図４と同様に、プリンタコントローラ６１によって算出された白黒比を表示するものである。
【００７０】
この実施形態では、操作パネル部２１を用いて、白黒比算出・判別処理及び白黒比判別マーク付加処理を実行するか否かを選択でき、また白黒比の濃度補正処理を実行するか否かを選択できるものとなされている。具体的には、図２や図５で説明したプリンタドライバのユーザインターフェイス１４１ａ、１４１ｂの各選択項目に対応する操作ボタンなどを設けて、選択設定すればよい。また、ユーザによる選択ではなく、白黒比算出・判別処理等を自動的に実行するように、予め設定されていても良い。
【００７１】
また、白黒比のしきい値も予め設定値として組み込まれていても良いし、ユーザが用途に応じて任意に設定できるものとしても良い。
【００７２】
なお、上記プリンタコントローラ６による処理の流れは、図６のフローチャートで説明した処理の流れと同じであり、詳細な説明は省略する。
【００７３】
図７に示した実施形態によっても、ＣＰＵ６２が各プログラムを実行することにより、白黒比の算出結果に応じた識別情報である白黒比判別マーク４１が用紙４０に可視化状態に印刷され、あるいは操作パネル部２１の表示部２２に識別情報である白黒比の値が可視化状態に表示されるから、これらの表示によって、ユーザは印刷された用紙４０の白黒比が所定のしきい値を超えているのかどうかを認識することができる。
【００７４】
なお、図７に示した実施形態では、プリンタコントローラ６がプリンタ２に内蔵されている場合を示したが、プリンタコントローラ６はプリンタ２と別体で構成されていても良い。
【００７５】
以上、本発明の一実施形態を説明したが、この発明はこれら実施形態に限定されることはない。例えば、白黒比がしきい値を超える場合に白黒比判別マーク４１を用紙４０に印刷するものとしたが、しきい値を超える場合と超えない場合とでマークの濃度や形を変えて印刷することにより識別しても良い。また、しきい値を複数設定しても良い。また、マークではなく、白黒比の値を識別情報として用紙に印刷しても良い。
【００７６】
また、プリンタ２の表示部２２に白黒比を識別情報として表示するものとしたが、白黒比がしきい値を超えているか超えていないかを示すマークを識別情報として表示部２２に表示しても良い。
【図面の簡単な説明】
【００７７】
【図１】この発明の一実施形態に係るデータ処理装置を用いたプリントシステムの構成を示すブロック図である。
【図２】図１のシステムに用いられるデータ処理装置の表示装置に表示されたプリントドライバのユーザインターフェイスを示す画面である。
【図３】図１のシステムにおけるプリンタによって印刷された用紙の正面図である。
【図４】図１のシステムにおけるプリンタによって出力対象データを印刷しているときの、プリンタの表示部の表示画面を示す正面図である。
【図５】図１のシステムに用いられているデータ処理装置の表示装置に表示されたプリントドライバのユーザインターフェイスを示す画面である。
【図６】図１のシステムに用いられているデータ処理装置の動作を示すフローチャートである。
【図７】この発明の他の実施形態に係るデータ処理装置を用いたプリントシステムの構成を示すブロック図である。
【符号の説明】
【００７８】
１      データ処理装置
２      プリンタ
１１    ＣＰＵ（白黒比算出手段、識別情報合成手段、選択手段、判別手段、補正手段）
１４    記憶装置
１４１  プリンタドライバ
１４２  白黒比算出・判別プログラム
１４３  ジョブ付加処理プログラム
１４４  濃度補正プログラム
１４５  通常処理プログラム
１７    ネットワークインターフェイス部（送信手段）
２１    操作パネル部
２２    表示部
４１    白黒比判別マーク（識別情報）
６      プリンタコントローラ
６１    ネットワークインターフェイス部（受信手段）
６２    ＣＰＵ（白黒比算出手段、識別情報合成手段、判別手段、補正手段、可視化手                  段）
６５    記憶装置
６５１  白黒比算出・判別プログラム
６５２  ジョブ付加処理プログラム
６５３  濃度補正プログラム
６５４  通常処理プログラム
【図１】
2005202776.tif 000003
【図２】
2005202776.tif 000004
【図３】
2005202776.tif 000005
【図４】
2005202776.tif 000006
【図５】
2005202776.tif 000007
【図６】
2005202776.tif 000008
【図７】
2005202776.tif 000009